(57)【特許請求の範囲】
【請求項１】
並列配置した同形状の第１、第２のロ字状磁心と、
前記第１のロ字状磁心と前記第２のロ字状磁心とが対面する位置にある前記第１、第２のロ字状磁心の双方の対面側磁脚を跨って組み込んだ一次ボビンと、
前記第１、第２のロ字状磁心の対面する位置から遠隔側にあるそれぞれの遠隔側磁脚を組み込んだ第１、第２の二次ボビンと、
前記一次ボビンに巻回した一次巻線と、
前記第１、第２の二次ボビンにそれぞれ巻回した第１、第２の二次巻線と、
前記第１、第２の二次巻線の一端を接地側に接続する低電位側端子と、
前記第１、第２の二次巻線の他端を第１、第２の放電灯に接続する高電位側端子とを備え、
前記第１、第２の二次巻線は前記一次巻線を挟むように並行配置し、
前記第１のロ字状磁心と前記第２のロ字状磁心とは電気的に絶縁するとともに、前記第１、第２の二次巻線の出力電圧波形の位相を互いに逆位相にしたコイル部品。
【請求項２】
並列配置した同形状の第１、第２のロ字状磁心と、
前記第１のロ字状磁心と前記第２のロ字状磁心とが対面する位置にある前記第１、第２のロ字状磁心の双方の対面側磁脚を跨って組み込んだ一次ボビンと、
前記第１、第２のロ字状磁心の対面する位置から遠隔側にあるそれぞれの遠隔側磁脚を組み込んだ第１、第２の二次ボビンと、
前記一次ボビンに巻回した一次巻線と、
前記第１、第２の二次ボビンにそれぞれ巻回した第１、第２の二次巻線と、
前記第１、第２の二次巻線の一端を接地側に接続する低電位側端子と、
前記第１、第２の二次巻線の他端を第１、第２の放電灯に接続する高電位側端子とを備え、
前記第１、第２の二次巻線は前記一次巻線を挟むように並行配置し、
前記第１、第２の二次巻線の出力電圧波形の位相を互いに同位相にしたコイル部品。
【発明の詳細な説明】
【技術分野】
【０００１】
本発明は各種電子機器等に用いる電圧変換用のコイル部品に関するものである。
【背景技術】
【０００２】
以下、従来のコイル部品について図面を参照しながら説明する。
【０００３】
図１７は従来のコイル部品の分解斜視図、図１８は同コイル部品の斜視図である。
【０００４】
図１７において、従来のコイル部品は、閉磁路磁心１と、この閉磁路磁心１に組み込むとともに、一次巻線２を巻回した一次ボビン３および二次巻線４を巻回した二次ボビン５と、この一次巻線２および二次巻線４の一端を接続した低電位側端子６と、一次巻線２および二次巻線４の他端を接続した高電位側端子７とを備えている。
【０００５】
一次ボビン３および二次ボビン５は、それぞれ一次巻線２および二次巻線４を巻回するための巻溝８を有し、この一次ボビン３および二次ボビン５に低電位側端子６および高電位側端子７を形成している。
【０００６】
閉磁路磁心１は対向する平板状の背磁脚９に中磁脚１０と外磁脚１１とを配置し、この背磁脚９は中磁脚１０を挟むように２つ並行配置しており、一方の外磁脚１１は角柱状の磁脚からなり、他方の外磁脚１１は２つの円柱状の磁脚からなっている。
【０００７】
この閉磁路磁心１の一方の外磁脚１１（角柱状の磁脚）には一次ボビン３を組み合わせ、他方の２つの外磁脚１１（円柱状の磁脚）には二次ボビン５を組み合わせ、中磁脚１０には何も組み合わせずにギャップを設けている。
【０００８】
上記構成のコイル部品は、例えば、二次巻線４の一端と接続した低電位側端子６および他端と接続した高電位側端子７に直管の放電灯を接続し（２つの二次巻線４に対しては合計２本の直管の放電灯を接続し）、液晶モニター等のバックライト用のインバータトランスとして使用する。
【０００９】
なお、この出願の発明に関連する先行技術文献情報としては、例えば、特許文献１が知られている。
【特許文献１】特開２００３−２２９１７号公報
【発明の開示】
【発明が解決しようとする課題】
【００１０】
上記構成では、中磁脚１０を挟むように配置された２つの外磁脚１１の形状が互いに異なる（一方の外磁脚１１は角柱状で他方の外磁脚１１は円柱状）とともに、一方の外磁脚１１と他方の外磁脚１１との距離が離れているので、一方の外磁脚１１から生じた磁束が２つの外磁脚１１に均等に流れにくく（バランスを欠きやすい）、閉磁路磁心１の構造上、２つの二次巻線４の出力電圧を互いに均等かつ安定させることが難しいという問題点を有していた。
【００１１】
本発明は上記問題点を解決するもので、２つの二次巻線の出力電圧を互いに均等かつ安定させたコイル部品を提供することを目的としている。
【課題を解決するための手段】
【００１２】
上記目的を達成するために本発明は、特に、並列配置した同形状の第１、第２のロ字状磁心と、
前記第１のロ字状磁心と前記第２のロ字状磁心とが対面する位置にある前記第１、第２のロ字状磁心の双方の対面側磁脚を跨って組み込んだ一次ボビンと、前記第１、第２のロ字状磁心の対面する位置から遠隔側にあるそれぞれの遠隔側磁脚を組み込んだ第１、第２の二次ボビンと、前記一次ボビンに巻回した一次巻線と、前記第１、第２の二次ボビンにそれぞれ巻回した第１、第２の二次巻線と、前記第１、第２の二次巻線の一端を接地側に接続する低電位側端子と、前記第１、第２の二次巻線の他端を第１、第２の放電灯に接続する高電位側端子とを備え、前記第１、第２の二次巻線は前記一次巻線を挟むように並行配置し、前記第１のロ字状磁心と前記第２のロ字状磁心とは電気的に絶縁するとともに、前記第１、第２の二次巻線の出力電圧波形の位相を互いに逆位相とする構成としたものである。
【発明の効果】
【００１３】
以上のように本発明によれば、２つのロ字状磁心と、これらが対面する対面側磁脚の双方を跨って巻回する一次巻線と、この一次巻線を挟む位置で並行に遠隔側磁脚に巻回した二次巻線を配置することで、個別にかつ簡素な形状の磁心をそれぞれの二次巻線に対して組み合わせることとなり、一次巻線から生じる磁束は、閉磁路磁心の構造上、均等に二次巻線に誘起させやすくなり、二次巻線の出力電圧を互いに均等かつ安定させることができる。特に、二次巻線の極性を互いに同極性または異極性にして二次巻線の出力電圧波形を互いに同位相または逆位相にすることにより、より一層、二次巻線の出力電圧を互いに均等かつ安定させることができる。
【発明を実施するための最良の形態】
【００１４】
以下、実施の形態を用いて、本発明の全請求項に記載の発明について図面を参照しながら説明する。
【００１５】
図１は本発明の一実施の形態におけるコイル部品の分解斜視図、図２は同コイル部品の斜視図、図３は同コイル部品の下面図、図４は同コイル部品に用いるケースの裏面斜視図、図５は同コイル部品を放電灯回路に用いた際の等価回路図、図６は同放電灯回路における２つの放電灯に入力する同位相の入力電圧波形を示す電圧波形図である。
【００１６】
図１〜図４において、本発明の一実施の形態におけるコイル部品は、Ｉ字形状の分割磁心とＥ字形状の分割磁心が組み合わされ、中磁脚２１を挟むように並行配置された２つの外磁脚２２を有する日の字形状の閉磁路磁心２３と、この閉磁路磁心２３に組み込むとともに、一次巻線２４を巻回した一次ボビン２５および二次巻線２６を巻回した二次ボビン２７と、一次巻線２４および二次巻線２６の一端を接続した低電位側端子２８と、一次巻線２４および二次巻線２６の他端を接続した複数の高電位側端子２９とを備えている。
【００１７】
この一次ボビン２５および二次ボビン２７には共に分割鍔３０で仕切られた分割溝３１を設け、特に、二次ボビン２７に設けた分割溝３１の厚みは、二次巻線２６の他端側（高電位側）を巻回する分割溝３１の厚みが他の分割溝３１の厚みよりも厚くなるように形成している。
【００１８】
さらに、閉磁路磁心２３に組み込んだ一次ボビン２５および二次ボビン２７は、一次ボビン２５および二次ボビン２７を互いに隔てる絶縁壁３２が形成されたケース３３で被覆しており、２つの二次巻線２６の一端を閉磁路磁心２３に対して互いに同一側に配置するとともに互いに同方向に巻回して、２つの二次ボビン２７から発生する出力電圧波形３４の位相を互いに同位相になるようにしている。
【００１９】
図５は上記コイル部品を放電灯回路に用いた際の等価回路図であって、２つの二次巻線２６の他端に接続された高電位側端子２９には、各々１本ずつの直管の放電灯３５が接続され、図６に示すように、２つの二次巻線２６の出力電圧波形３４が互いに同位相になるようにしている。この際、図７に示すように逆位相にすることも可能である。
【００２０】
上記構成によれば、閉磁路磁心２３は中磁脚２１を挟むように並行配置された偶数個の外磁脚２２を有する日の字形状とし、中磁脚２１に一次ボビン２５を組み合わせるとともに、偶数個の外磁脚２２に二次ボビン２７を組み合わせるので、一次巻線２４から生じる磁束は、閉磁路磁心２３の構造上、均等に二次巻線２６に誘起させやすくなり、二次巻線２６の出力電圧を互いに均等かつ安定させることができる。特に、二次巻線２６の極性を同極性または異極性にして二次巻線２６の出力電圧波形３４を互いに同位相または逆位相にすることにより、より一層、二次巻線２６の出力電圧を互いに均等かつ安定させることができる。
【００２１】
また、一次ボビン２５および二次ボビン２７を被覆するケース３３を設けるとともに、このケース３３に一次ボビン２５および二次ボビン２７を隔てる絶縁壁３２を設けているので、一次ボビン２５に巻回した一次巻線２４と二次ボビン２７に巻回した二次巻線２６との絶縁を的確に図ることができる。
【００２２】
さらに、一次ボビン２５および二次ボビン２７には分割鍔３０で仕切られた分割溝３１を設けているので、一次ボビン２５に対しては一次ボビン２５に巻回する一次巻線２４の巻回数が少なくても、偏りをなくして均等に巻回することができ、二次ボビン２７に対しては、二次ボビン２７に巻回する二次巻線２６の低電位側と高電位側における短絡を抑制できる。
【００２３】
特に、二次巻線２６の他端側（高電位側）を巻回する分割溝３１の厚みを他の分割溝３１の厚みよりも厚くしているので、二次ボビン２７を貫通するように閉磁路磁心２３と二次巻線２６との間で生じる短絡を抑制できる。
【００２４】
そして、二次巻線２６の一端と接続した低電位側端子２８および二次巻線２６の他端と接続した高電位側端子２９はそれぞれ複数形成することにより、例えば、図８に示すように、一方または他方の二次巻線２６の他端が接続された各々の２つの高電位側端子２９には、直管の放電灯３５を２本ずつ接続することができ、出力電圧も同位相とすることができる。
【００２５】
また、図９に示すように、一方の二次巻線２６の他端が接続された１つの高電位側端子２９と他方の二次巻線２６の他端が接続された１つの高電位側端子２９に、直管の放電灯３５を１本ずつ接続して合計２本の直管の放電灯３５として接続することもでき、出力電圧も互いに逆位相とすることもできる。この場合、特に、２本の直管の放電灯３５を安定して動作させることができる。
【００２６】
なお、本発明の一実施の形態では、放電灯３５は直管を用いたが、図１０に示すようなＵ字管の放電灯３５でもよく、Ｕ字管の放電灯３５の一端を一方の二次巻線２６に、他端を他方の二次巻線２６に接続し、図１１に示すように２つの二次巻線２６から出力される出力電圧波形が互いに逆位相になるようにしてもよい。これにより、一方の二次巻線２６と他方の二次巻線２６から出力される電圧の電位差を最大限にすることができ、Ｕ字管の放電灯３５のような消費電力の大きい放電灯３５を容易に接続し動作させることができる。
【００２７】
さらに、本発明の一実施の形態では、Ｉ字形状の分割磁心とＥ字形状の分割磁心を組み合わせて閉磁路磁心２３を形成したが、図１２に示すように、Ｅ字形状の分割磁心を改良して、一次ボビン２５や二次ボビン２７に組み込む閉磁路磁心の磁脚の高さよりも外磁脚２２の高さの方を高くしたり、図１３に示すように、このＥ字形状の分割磁心を２つ組み合わせたりしてもよい。
【００２８】
また、図１４に示すように、コ字形状の分割磁心を４つ組み合わせてもよく、図１５に示すように、２つの貫通孔を形成した一次ボビン２５を用いて、図１６に示すように、一次ボビン２５と二次ボビン２７とケース３３と分割磁心を組み合わせて、形成してもよい。
【産業上の利用可能性】
【００２９】
以上のように本発明にかかるコイル部品は、２つの二次巻線の出力電圧を互いに均等かつ安定させることができ、各種電子機器等に用いる電圧変換用のコイル部品に適用できる。
【図面の簡単な説明】
【００３０】
【図１】本発明の一実施の形態におけるコイル部品の分解斜視図
【図２】同コイル部品の斜視図
【図３】同コイル部品の下面図
【図４】同コイル部品に用いるケースの裏面斜視図
【図５】同コイル部品を放電灯回路に用いた際の等価回路図
【図６】同放電灯回路における２つの放電灯に入力する同位相の出力電圧波形を示す電圧波形図
【図７】同放電灯回路における２つの放電灯に入力する逆位相の出力電圧波形を示す電圧波形図
【図８】同コイル部品を放電灯回路に用いた際の他の等価回路図
【図９】同コイル部品を放電灯回路に用いた際の他の等価回路図
【図１０】同コイル部品を放電灯回路に用いた際の他の等価回路図
【図１１】同放電灯回路における放電灯に入力する逆位相の出力電圧波形を示す電圧波形図
【図１２】他のコイル部品に用いる閉磁路磁心の分割磁心の斜視図
【図１３】他のコイル部品に用いる閉磁路磁心の分割磁心の斜視図
【図１４】他のコイル部品に用いる閉磁路磁心の分割磁心の斜視図
【図１５】他のコイル部品に用いる一次ボビンおよび二次ボビンの斜視図
【図１６】他のコイル部品の分解斜視図
【図１７】従来のコイル部品の分解斜視図
【図１８】同コイル部品の斜視図
【符号の説明】
【００３１】
２１  中磁脚
２２  外磁脚
２３  閉磁路磁心
２４  一次巻線
２５  一次ボビン
２６  二次巻線
２７  二次ボビン
２８  低電位側端子
２９  高電位側端子
３０  分割鍔
３１  分割溝
３２  絶縁壁
３３  ケース
３４  出力電圧波形
３５  放電灯
【図１】
0004424045.tif 000002
【図２】
0004424045.tif 000003
【図３】
0004424045.tif 000004
【図４】
0004424045.tif 000005
【図５】
0004424045.tif 000006
【図６】
0004424045.tif 000007
【図７】
0004424045.tif 000008
【図８】
0004424045.tif 000009
【図９】
0004424045.tif 000010
【図１０】
0004424045.tif 000011
【図１１】
0004424045.tif 000012
【図１２】
0004424045.tif 000013
【図１３】
0004424045.tif 000014
【図１４】
0004424045.tif 000015
【図１５】
0004424045.tif 000016
【図１６】
0004424045.tif 000017
【図１７】
0004424045.tif 000018
【図１８】
0004424045.tif 000019